(57)【要約】【課題】  再生再開までの経過時間に応じてレジューム再生を行なうことのできるデータ再生装置およびデータ再生用プログラムを提供すること。【解決手段】  記録媒体に記録されたデータの再生動作が停止された場合に、記録媒体における、再生動作の停止の際の再生位置、および時刻を取得して保存する。その後、再生動作の再開の指示の入力が受け付けられた場合に、保存された再生位置と、時刻とを取得する（ステップＳ１１）。そして、取得した時刻から経過時間Ｔを計算する（ステップＳ１２）。計算された経過時間Ｔの長さに応じて、取得した停止時の再生位置から巻き戻す量を変化させる（ステップＳ１３〜Ｓ２０）。【選択図】        図３
2006018971.tif 000002
【特許請求の範囲】
【請求項１】
記録媒体に記録されたデータの再生動作を行なうための再生手段と、
前記再生手段による前記再生動作が停止された場合に、前記記録媒体における、前記再生動作の停止位置を取得するための位置取得手段と、
前記位置取得手段により取得された前記停止位置を記憶するための位置記憶手段と、
前記再生手段による前記再生動作をレジューム再生とする指示の入力が受け付けられた場合に、前記再生動作が停止されてから経過した時間を計測するための計時手段と、
前記計時手段により計測された前記時間に応じて、前記位置記憶手段に記憶された前記停止位置を基準に、前記再生動作の開始位置を決定するための開始位置決定手段とを備え、
前記開始位置決定手段は、前記計測手段により計測された前記時間の長さに応じて、前記位置記憶手段に記憶された前記停止位置より所定時間分戻した位置を、前記開始位置として決定する、データ再生装置。
【請求項２】
記録媒体に記録されたデータの再生動作を行なうための再生手段と、
前記再生手段による前記再生動作が停止された場合に、前記記録媒体における、前記再生動作の停止位置を取得するための位置取得手段と、
前記位置取得手段により取得された前記停止位置を記憶するための位置記憶手段と、
前記再生手段による前記再生動作をレジューム再生とする指示の入力が受け付けられた場合に、前記再生動作が停止されてから経過した時間を計測するための計時手段と、
前記計時手段により計測された前記時間に応じて、前記位置記憶手段に記憶された前記停止位置を基準に、前記再生動作の開始位置を決定するための開始位置決定手段とを備える、データ再生装置。
【請求項３】
前記開始位置決定手段は、前記計測手段により計測された前記時間の長さに応じて、前記位置記憶手段に記憶された前記停止位置より所定時間分戻した位置を、前記開始位置として決定する、請求項２に記載のデータ再生装置。
【請求項４】
記録媒体に記録されたデータの再生動作を行なうステップと、
前記再生動作が停止された場合に、前記記録媒体における、前記再生動作の停止位置を取得するステップと、
前記再生動作をレジューム再生とする指示の入力が受け付けられた場合に、前記再生動作が停止されてから経過した時間を計測するステップと、
前記計測された前記時間の長さに応じて、前記取得された前記停止位置より所定時間戻した位置を、前記再生動作の開始位置を決定するステップとを備える、データ再生用プログラム。
【発明の詳細な説明】
【技術分野】
【０００１】
本発明は、データ再生装置およびデータ再生用プログラムに関し、特に、レジューム再生機能を有するデータ再生装置およびデータ再生用プログラムに関する。
【背景技術】
【０００２】
従来より、再生中断時の停止位置情報を記憶しておき、再生再開時にはその停止位置よりデータの読み出しを行なうレジューム再生機能を有する再生装置が存在した。また、このようなレジューム再生機能を利用して、種々の技術が開示されている。
【０００３】
たとえば、特許文献１には、再生再開時に、再生中断箇所までをチャプターごとにダイジェスト再生するＤＶＤビデオ再生システムが開示されている。また、特許文献２には、再生開始位置から再生中断位置までの間を分割してそれらのアドレスを求め、再生再開時には、それらのアドレスを基にダイジェスト再生を行なうレジューム再生方法が開示されている。また、特許文献３には、再生再開時に、再生停止箇所が属するシーンの先頭箇所から再生を行なう情報再生装置が開示されている。
【特許文献１】特開平１１−２７３２２７号公報
【特許文献２】特開２００２−２５２３５号公報
【特許文献３】特開２００２−２８１４４７号公報
【発明の開示】
【発明が解決しようとする課題】
【０００４】
上記特許文献１〜３においては、再生中断箇所よりも時間を遡って再生を開始するため、視聴者が曖昧になった前回の再生内容を思い出させることができる。
【０００５】
しかしながら、上述のような従来の再生装置においては、再生再開までの経過時間にかかわらず、一定の条件をもとにレジューム再生が行なわれていた。
【０００６】
本発明は、上記のような問題を解決するためになされたものであって、その目的は、再生再開までの経過時間に応じてレジューム再生を行なうことのできるデータ再生装置およびデータ再生用プログラムを提供することである。
【課題を解決するための手段】
【０００７】
この発明のある局面に従うデータ再生装置は、記録媒体に記録されたデータの再生動作を行なうための再生手段と、再生手段による再生動作が停止された場合に、記録媒体における、再生動作の停止位置を取得するための位置取得手段と、位置取得手段により取得された停止位置を記憶するための位置記憶手段と、再生手段による再生動作をレジューム再生とする指示の入力が受け付けられた場合に、再生動作が停止されてから経過した時間を計測するための計時手段と、計時手段により計測された時間に応じて、位置記憶手段に記憶された停止位置を基準に、再生動作の開始位置を決定するための開始位置決定手段とを備え、開始位置決定手段は、計測手段により計測された時間の長さに応じて、位置記憶手段に記憶された停止位置より所定時間分戻した位置を、開始位置として決定する。
【０００８】
この発明の他の局面に従うデータ再生装置は、記録媒体に記録されたデータの再生動作を行なうための再生手段と、再生手段による再生動作が停止された場合に、記録媒体における、再生動作の停止位置を取得するための位置取得手段と、位置取得手段により取得された停止位置を記憶するための位置記憶手段と、再生手段による再生動作をレジューム再生とする指示の入力が受け付けられた場合に、再生動作が停止されてから経過した時間を計測するための計時手段と、計時手段により計測された時間に応じて、位置記憶手段に記憶された停止位置を基準に、再生動作の開始位置を決定するための開始位置決定手段とを備える。
【０００９】
好ましくは、開始位置決定手段は、計測手段により計測された時間の長さに応じて、位置記憶手段に記憶された停止位置より所定時間分戻した位置を、開始位置として決定する。
【００１０】
この発明のさらに他の局面に従うデータ再生用プログラムは、記録媒体に記録されたデータの再生動作を行なうステップと、再生動作が停止された場合に、記録媒体における、再生動作の停止位置を取得するステップと、再生動作をレジューム再生とする指示の入力が受け付けられた場合に、再生動作が停止されてから経過した時間を計測するステップと、計測された時間の長さに応じて、取得された停止位置より所定時間戻した位置を、再生動作の開始位置を決定するステップとを備える。
【発明の効果】
【００１１】
本発明によると、記録媒体に記録されたデータの再生動作が停止されてから再開されるまでの経過時間の長さに応じて、再生開始位置を変化させることができる。したがって、ユーザは、経過時間の長さに応じて、停止したときより前の映像を視聴することができる。そのため、前回視聴した内容を思い出しやすくなる。また、自動的に再生開始位置が所定時間分戻されるため、ユーザの操作の負担が軽減される。
【発明を実施するための最良の形態】
【００１２】
本発明の実施の形態について図面を参照しながら詳細に説明する。なお、図中同一または相当部分には同一符号を付してその説明は繰返さない。
【００１３】
はじめに、本発明の実施の形態に係るデータ再生装置について説明する。なお、実施の形態においては、データ再生装置として、データ再生装置の一態様であるＤＶＤレコーダを用いる。
【００１４】
図１は、ＤＶＤレコーダ１００のハードウェア構成を表わすブロック図である。
【００１５】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。
【００１６】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。
【００１７】
次に、図２および図３に示すフローチャートを用いて、本発明の実施の形態におけるレジューム処理について説明する。なお、一般的なレジューム機能は、ユーザがリモコン等を操作して再生が停止されると、その位置から再び再生が行なわれる機能をいう。
【００１８】
図２には、再生途中に、システム制御回路１１０が、操作部１２２あるいは受光部１２４から入力される信号に基づいて、ＤＶＤ１７２の再生を停止する指示の入力を検知した場合に開始される処理が示される。なお、ここでは、ユーザによってレジューム解除の操作がなされなかったものとして説明する。
【００１９】
図２を参照して、システム制御回路１１０は、まず、ユーザからの指示に基づいて、ＤＶＤ駆動装置１７０を制御して、ＤＶＤ１７０に記録された映像音声データの読み出しを停止させる（ステップＳ１）。すなわち、テレビ４００への映像の出力を停止する。
【００２０】
そして、システム制御回路１１０は、ステップＳ１においてＤＶＤ１７２に記録された映像音声データの読み出しを停止させたときの、ＤＶＤ１７２の再生位置を取得する。ここでの再生位置は、停止位置と一致するものである。具体的には、ＤＶＤ１７２に記録された映像音声データを最後に読み出した位置を、再生位置として取得する。また、システム制御回路１１０は、現在の時刻を、計時回路１２６より取得する。
【００２１】
そして、取得した再生位置と現在の時刻とをメモリ１１２に格納する（ステップＳ２）。ステップＳ２において、再生位置および現在の時刻が保存されると、システム制御回路１１０は、レジューム停止状態にする（ステップＳ３）。
【００２２】
このようにして、メモリ１１２には、レジューム情報として、再生停止時の再生位置および時刻が記憶される。ＤＶＤレコーダ１００が、たとえば、複数のＤＶＤを装着可能である場合には、それぞれのレジューム情報がメモリ１１２に格納される。この場合、各ＤＶＤ１７２のＩＤ（Identification）番号等とともに、対応するレジューム情報が各々の記憶領域に格納される。
【００２３】
図３には、システム制御回路１１０が、操作部１２２あるいは受光部１２４から入力される信号に基づいて、再生を再開する指示の入力を検知した場合に開始される処理が示される。なお、ここでは、ユーザによって通常再生の指示がなされなかったものとして説明する。また、通常再生とは、レジューム再生を行なわず、ＤＶＤ１７２に記録された映像音声データを初めから読み出す再生のことをいう。また、図３のフローチャートは、予めプログラムとしてメモリ１１２に格納されており、システム制御回路１１０がこのプログラムをメモリ１１２から読出して実行することにより、レジューム再生の機能が実現される。
【００２４】
図３を参照して、はじめに、システム制御回路１１０は、操作部１２２あるいは受光部１２４から入力される信号に基づいて、再生を再開するＤＶＤ１７２に対応するレジューム情報を、メモリ１１２から読み出す。具体的には、図２におけるステップＳ２においてメモリ１１２に保存した再生位置と、停止時の時刻とを取得する（ステップＳ１１）。
【００２５】
そして、システム制御回路１１０は、現在の時刻を計時回路１２６より取得し、停止時の時刻から経過した時間Ｔを計算する（ステップＳ１２）。
【００２６】
次に、システム制御回路１１０は、ステップＳ１２において計算した経過時間Ｔの長さに応じて、再生開始位置を決定する（ステップＳ１３〜Ｓ２０）。
【００２７】
はじめに、システム制御回路１１０は、ステップＳ１２において計算した経過時間Ｔが、たとえば１２時間を超えているか否かを判断する（ステップＳ１３）。経過時間Ｔが１２時間を超えていると判断した場合は（ステップＳ１３においてＹＥＳ）、ステップＳ１１において取得した再生位置からたとえば３分戻した位置を、再生開始位置として決定する（ステップＳ１４）。そして、システム制御回路１１０は、ＤＶＤ駆動装置１７０を制御して、装着されたＤＶＤ１７２に記録された映像音声データを、ステップＳ１４において決定された再生開始位置より読み出して再生する（ステップＳ２１）。そうすると、テレビ４００には、再生停止時の３分前からの映像が出力される。
【００２８】
一方、経過時間Ｔが１２時間以下である場合は（ステップＳ１３においてＮＯ）、システム制御回路１１０は、次に、その経過時間Ｔは、たとえば３時間を超えているか否かを判断する（ステップＳ１５）。
【００２９】
システム制御回路１１０は、経過時間Ｔが３時間を超えていると判断した場合は（ステップＳ１５においてＹＥＳ）、ステップＳ１１において取得した再生位置からたとえば１分戻した位置を、再生開始位置として決定する（ステップＳ１６）。そして、システム制御回路１１０は、ＤＶＤ駆動装置１７０を制御して、装着されたＤＶＤ１７２に記録された映像音声データを、ステップＳ１６において決定された再生開始位置より読み出して再生する（ステップＳ２１）。そうすると、テレビ４００には、再生停止時の１分前からの映像が出力される。
【００３０】
一方、経過時間Ｔが３時間以下である場合は（ステップＳ１５においてＮＯ）、システム制御回路１１０は、次に、その経過時間Ｔが、たとえば１時間を超えているか否かを判断する（ステップＳ１７）。
【００３１】
システム制御回路１１０は、経過時間Ｔが１時間を超えていると判断した場合は（ステップＳ１７においてＹＥＳ）、ステップＳ１１において取得した再生位置からたとえば３０秒戻した位置を、再生開始位置として決定する（ステップＳ１８）。そして、システム制御回路１１０は、ＤＶＤ駆動装置１７０を制御して、装着されたＤＶＤ１７２に記録された映像音声データを、ステップＳ１８において決定された再生開始位置より読み出して再生する（ステップＳ２１）。そうすると、テレビ４００には、再生停止時の３０秒前からの映像が出力される。
【００３２】
一方、経過時間Ｔが１時間以下である場合は（ステップＳ１７においてＮＯ）、システム制御回路１１０は、次に、その経過時間Ｔはたとえば３０分を超えているか否かを判断する（ステップＳ１９）。
【００３３】
システム制御回路１１０は、経過時間Ｔが３０分を超えていると判断した場合は（ステップＳ１９においてＹＥＳ）、ステップＳ１１において取得した再生位置からたとえば１０秒戻した位置を、再生開始位置として決定する（ステップＳ２０）。そして、システム制御回路１１０は、ＤＶＤ駆動装置１７０を制御して、装着されたＤＶＤ１７２に記録された映像音声データを、ステップＳ２０において決定された再生開始位置より読み出して再生する（ステップＳ２１）。そうすると、テレビ４００には、再生停止時の１０秒前からの映像が出力される。
【００３４】
一方、経過時間Ｔが３０分以下である場合は（ステップＳ１９においてＮＯ）、システム制御回路１１０は、ＤＶＤ駆動装置１７０を駆動させ、装着されたＤＶＤ１７２に記録された映像音声データを、ステップＳ１１において取得した再生位置より読み出して再生する（ステップＳ２１）。この場合、テレビ４００には、再生停止時からの映像が出力される。
【００３５】
一般的に、再生停止時からしばらくした後に再生を再開する場合、前回視聴したストーリーの流れを忘れることが多い。このような場合、ユーザ自らが、少し巻き戻してから再生を行なう。
【００３６】
上述のような、本発明の実施の形態にかかるＤＶＤレコーダ１００においては、再生停止時からの経過時間の長さに応じて、再生開始位置を自動的に巻き戻す。したがって、ユーザの操作の負担を軽減することができる。また、これにより、ストーリーの流れを思い出しやすくなる。
【００３７】
本実施の形態においては、計時回路１２６により、再生停止時の時刻と再生再開時の時刻とを取得して経過時間Ｔを算出することとしたが、これに限定されない。たとえば、再生停止時をゼロとして時間のカウントを開始することとしてもよい。この場合、再生再開の指示の入力を受け付けたときに、時間のカウントを停止して、経過時間Ｔを算出する。
【００３８】
また、本実施の形態において、電源ＯＦＦとしたときも同様のレジューム処理を行なうことができる。この場合、メモリ１１２に代えて、不揮発性メモリに、停止時の再生位置と時刻とを保存する（図２のステップＳ２参照）。そうすると、電源がＯＦＦにされた状態であっても、レジューム情報は保存されるため、図３に示されるようなレジューム再生処理を行なうことができる。
【００３９】
また、図３のステップＳ１３からＳ２０に示した時間を、ユーザが予め設定できることとしてもよい。そうすることで、好みに応じた自動巻き戻しが可能となる。
【００４０】
また、本実施の形態において、データ再生装置の一態様として、ＤＶＤレコーダを用いて説明したが、これに限定されない。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】本発明の実施の形態におけるＤＶＤレコーダのハードウェア構成を表わすブロック図である。
【図２】本発明の実施の形態のＤＶＤレコーダにおける、再生停止時のレジューム処理を示すフローチャートである。
【図３】本発明の実施の形態のＤＶＤレコーダにおける、再生再開時のレジューム再生処理を示すフローチャートである。
【符号の説明】
【００４３】
１００  ＤＶＤレコーダ、１１０  システム制御回路、１１２  メモリ、１１４  ＯＳＤ画像生成回路、１２２  操作部、１２４  受光部、１２６  計時回路、１５４  ＭＰＥＧデコーダ、１５８  合成回路、１６０  Ｄ／Ａ変換部、１６８  出力部、１７０  ＤＶＤ駆動装置、１７２  ＤＶＤ、４００  テレビ。
【図１】
2006018971.tif 000003
【図２】
2006018971.tif 000004
【図３】
2006018971.tif 000005